(57)【要約】【課題】  室内スペースでの使用に適した画像消去装置を提供すること。【解決手段】  本体ケース１には蓋ケース３が開閉可能に装着されており、本体ケース１内および蓋ケース３内には下加熱板および上加熱板が収納されている。この本体ケース１は印刷物が束上に投入されるものであり、下加熱板および上加熱板は蓋ケース３が閉鎖状態に操作されることに基いて印刷物を挟み込む。この印刷物には消去可能な画像形成材料を用いて画像が形成されており、画像は上下両側から加熱されることに基いて消去される。この構成の場合、溶媒の取扱いに配慮する必要がなくなるので、室内スペースで安全に運転を行うことができる。【選択図】  図１
2006035566.tif 000002
【特許請求の範囲】
【請求項１】
媒体の投入口を有する本体部と、
前記本体部内に設けられ、前記媒体を加熱する第１の加熱源と、
前記本体部に回動可能に設けられ、前記投入口を開閉する蓋部と、
前記蓋部内に設けられ、前記蓋部の閉鎖状態で前記媒体を前記第１の加熱源とは反対側から加熱する第２の加熱源と、
前記蓋部を閉鎖状態に拘束するロック状態および前記蓋部をロック解除するアンロック状態に切換わるロック機構と、
前記ロック機構を覆う着脱可能なロックカバーとを備え、
前記ロック機構は、前記蓋部をその回動軸とは反対側でロックするものであることを特徴とする画像消去装置。
【請求項２】
媒体の投入口を有する本体部と、
前記本体部内に設けられ、前記媒体を加熱する第１の加熱源と、
前記投入口を開閉する蓋部と、
前記蓋部内に設けられ、前記蓋部の閉鎖状態で前記媒体を前記第１の加熱源とは反対側から加熱する第２の加熱源と、
前記蓋部を閉鎖状態に拘束するロック状態および前記蓋部をロック解除するアンロック状態に切換わるロック機構と、
前記ロック機構をロック状態およびアンロック状態間で相互に切換える電気的な駆動源と、
前記ロック機構をロック状態からアンロック状態に手動操作で切換える操作部材と
を備えたことを特徴とする画像消去装置。
【請求項３】
媒体の投入口を有する本体部と、
前記本体部内に設けられ、前記媒体を加熱する第１の加熱源と、
前記投入口を開閉する蓋部と、
前記蓋部内に設けられ、前記蓋部の閉鎖状態で前記媒体を前記第１の加熱源とは反対側から加熱する第２の加熱源と、
前記蓋部を閉鎖状態に拘束するロック状態および前記蓋部をロック解除するアンロック状態に切換わるロック機構と、
前記ロック機構をロック状態およびアンロック状態間で相互に切換えるロックモータとを備え、
前記ロックモータは、断電時に現在位置で停止することに基いて前記ロック機構を現在状態に保持するものであることを特徴とする画像消去装置。
【請求項４】
媒体の投入口を有する本体部と、
前記本体部内に設けられ、前記媒体を加熱する第１の加熱源と、
前記投入口を開閉する蓋部と、
前記蓋部内に設けられ、前記蓋部の閉鎖状態で前記媒体を前記第１の加熱源とは反対側から加熱する第２の加熱源と、
前記本体部に設けられた傾斜状の操作パネルと、
前記蓋部に前記操作パネルの上方に位置して設けられ、前記操作パネルの上端部から突出する手掛部と
を備えたことを特徴とする画像消去装置。
【請求項５】
媒体の投入口を有する本体部と、
前記本体部内に設けられ、前記媒体を加熱する第１の加熱源と、
前記投入口を開閉する蓋部と、
前記蓋部内に設けられ、前記蓋部の閉鎖状態で前記媒体を前記第１の加熱源とは反対側から加熱する第２の加熱源と、
前記本体部内に設けられ、前記媒体を冷却するファン装置と、
前記本体部に前記ファン装置の下方に位置して設けられた開口部と、
前記開口部を覆う着脱可能なファンカバーとを備え、
前記ファンカバーには、前記ファン装置の駆動時に外気を前記本体部内に吸引するための吸気口が設けられていることを特徴とする画像消去装置。
【請求項６】
媒体の投入口を有する本体部と、
前記本体部内に設けられ、前記媒体を加熱する第１の加熱源と、
前記投入口を開閉する蓋部と、
前記蓋部内に設けられ、前記蓋部の閉鎖状態で前記媒体を前記第１の加熱源とは反対側から加熱する第２の加熱源と、
前記本体部内に設けられ、前記媒体を冷却するファン装置とを備え、
前記ファン装置と前記本体部の底板との間には、隙間が形成されていることを特徴とする画像消去装置。
【請求項７】
媒体の投入口を有する本体部と、
前記本体部内に設けられた断熱ケース部材と、
前記断熱ケース部材内に設けられ、前記媒体を加熱する第１の加熱源と、
前記本体部内に前記断熱ケース部材の下方に位置して設けられた断熱部材と、
前記投入口を開閉する蓋部と、
前記蓋部内に設けられ、前記蓋部の閉鎖状態で前記媒体を前記第１の加熱源とは反対側から加熱する第２の加熱源と、
前記本体部内に設けられ、前記断熱ケース部材および前記断熱部材の双方を支持する第１の支持部材と、
前記本体部内に設けられ、前記第１の加熱源を弾性的に支持するばね部材と、
前記本体部内に設けられ、前記ばね部材を支持する第２の支持部材とを備え、
前記第１の支持部材および前記第２の支持部材は、一体成形されていることを特徴とする画像消去装置。
【請求項８】
媒体の投入口を有する本体部と、
前記本体部内に設けられ、前記媒体を加熱する第１の加熱源と、
前記投入口を開閉する蓋部と、
前記蓋部内に設けられ、前記蓋部の閉鎖状態で前記媒体を前記第１の加熱源とは反対側から加熱する第２の加熱源と、
前記第１の加熱源の温度を検出する第１の温度検出手段と、
前記第２の加熱源の温度を検出する第２の温度検出手段とを備え、
前記第１の加熱源および前記第２の加熱源は、前記媒体を加熱する加熱板と加熱板を昇温させる発熱体と発熱体を加熱板に押える押え板とを有し、
前記第１の温度検出手段および前記第２の温度検出手段の少なくとも一方は、感温部が前記押え板および前記発熱体間で挟持されていることを特徴とする画像消去装置。
【請求項９】
媒体の投入口を有する本体部と、
前記本体部内に設けられ、前記媒体を加熱する加熱板と加熱板を昇温させる発熱体と発熱体を加熱板に押える押え板とを有する第１の加熱源と、
前記本体部内に設けられ、前記第１の加熱源を弾性的に支持する複数のコイルスプリングと、
前記第１の加熱源に設けられ、前記複数のコイルスプリング内に個別に挿入された複数のスプリングガイドと、
前記投入口を開閉する蓋部と、
前記蓋部内に設けられ、前記蓋部の閉鎖状態で前記媒体を前記第１の加熱源とは反対側から加熱する第２の加熱源とを備え、
前記第１の加熱源の発熱体は、前記加熱板と前記複数のスプリングガイドとの間で挟持されていることを特徴とする画像消去装置。
【請求項１０】
媒体が投入される受皿を有する本体部と、
前記本体部内に設けられ、前記媒体を前記受皿の底板側から加熱する第１の加熱源と、
前記受皿の投入口を開閉する蓋部と、
前記蓋部内に設けられ、前記蓋部の閉鎖状態で前記媒体を前記受皿の投入口側から加熱する第２の加熱源とを備え、
前記受皿内には、前記受皿内を複数の媒体収納部に区画する仕切部材が設けられていることを特徴とする画像消去装置。
【請求項１１】
媒体の投入口を有する本体部と、
前記本体部内に設けられ、前記媒体を加熱する第１の加熱源と、
前記投入口を開閉する蓋部と、
前記蓋部内に設けられ、前記蓋部の閉鎖状態で前記媒体を前記第１の加熱源とは反対側から加熱する第２の加熱源とを備え、
前記第１の加熱源および前記第２の加熱源の少なくとも一方は、複数の加熱部に分割されていることを特徴とする画像消去装置。
【請求項１２】
媒体が投入される受皿を有する本体部と、
前記本体部内に設けられ、前記媒体を前記受皿の底板側から加熱する第１の加熱源と、
前記受皿の投入口を開閉する蓋部と、
前記蓋部内に設けられ、前記蓋部の閉鎖状態で前記媒体を前記受皿の投入口側から加熱する第２の加熱源とを備え、
前記受皿内の底面には、表面粗さが粗い部分が設けられていることを特徴とする画像消去装置。
【発明の詳細な説明】
【技術分野】
【０００１】
本発明は、消去可能な画像形成材料により形成された画像を消去する画像消去装置に関する。
【背景技術】
【０００２】
上記画像消去装置には、紙上で発色した画像形成材料を溶媒に接触させ、紙から溶媒を除去する構成のものがある。
【特許文献１】特開平１１−３１６５２７号公報
【特許文献２】特開２０００−２８４５０号公報
【特許文献３】特開２００２−３８０３９号公報
【発明の開示】
【発明が解決しようとする課題】
【０００３】
上記画像消去装置の場合、溶媒の取扱いに配慮する必要があるので、室内スペースでの使用に適していない。
本発明は上記事情に鑑みてなされたものであり、その目的は、室内スペースでの使用に適した画像消去装置を提供することにある。
【課題を解決するための手段】
【０００４】
請求項１〜１２記載の画像消去装置は課題を解決するための手段として共通の要素を備えている。具体的には媒体の投入口を有する本体部と、前記本体部内に設けられ前記媒体を加熱する第１の加熱源と、前記投入口を開閉する蓋部と、前記蓋部内に設けられ前記蓋部の閉鎖状態で前記媒体を前記第１の加熱源とは反対側から加熱する第２の加熱源とを備えたものである。
【発明の効果】
【０００５】
請求項１〜１２記載の画像消去装置によれば、本体部内に媒体を投入して蓋部を閉鎖することに基いて媒体が第１の加熱源と第２の加熱源との間に介在される。この状態で第１の加熱源および第２の加熱源が発熱したときには媒体が両側から加熱され、媒体に形成された画像が熱で消去される。このため、溶媒の取扱いに配慮する必要がなくなるので、室内スペースでの使用に適したものになる。
【発明を実施するための最良の形態】
【０００６】
＜実施例１＞
本体ケース１内には、図１に示すように、上面が開口する矩形皿状の用紙トレイ２が装着されている。この用紙トレイ２は媒体に相当する紙等の印刷物が束上に投入されるものであり、蓋ケース３の閉鎖状態では用紙トレイ２内の印刷物が下加熱板４（図３参照）と上加熱板５（図３参照）との間に介在される。これら下加熱板４および上加熱板５は本体ケース１内および蓋ケース３内に収納されたものであり、用紙トレイ２内の印刷物を下側および上側から加熱する。この印刷物は消去可能な画像形成材料を用いて画像が形成されたものであり、画像形成材料は呈色性化合物と顕色剤の作用で発色している。この画像形成材料が加熱されたときには画像形成材料中のバインダー樹脂と呈色性化合物とが優先的に相溶性を示し、消色剤を使用しているときには顕色剤と消色剤とが反応し、消色する。即ち、画像消去装置は印刷物を上下両側から加熱することに基いて画像を消去するものである。以下、画像消去装置の詳細構成を説明する。
【０００７】
本体ケース１は、図２に示すように、金属製の下本体枠６と金属製の下前枠７と金属製の下後枠８とを接合することから構成されたものであり、上面が開口する矩形箱状をなしている。この本体ケース１の下本体枠６は前面と後面と上面が開口するコ字枠状をなすものであり、下本体枠６の前面および後面は下前枠７および下後枠８によって覆われている。この本体ケース１は本体部に相当するものであり、本体ケース１の下後枠８には、図５に示すように、複数の放熱孔９が形成されている。
【０００８】
下本体枠６の底板には四隅部に位置してゴム製の脚１０が固定されている。これら各脚１０は脚１０を通して下本体枠６の底板にねじを締込むことに基いて固定されたものであり、本体ケース１は４個の脚１０を設置面に載置することに基いて設置面に対して離間状態で設置される。
本体ケース１内には、図３に示すように、四隅部に位置して合成樹脂製のケース支え１１が収納されている。これら各ケース支え１１は第１の支持部材に相当するものであり、各ケース支え１１の上端部にはヘッド部１２が一体成形されている。これら各ケース支え１１は下本体枠６の底板を通してケース支え１１にねじを締込むことに基いて固定されたものであり、各ヘッド部１２内には上端部に位置して円筒状のカラー１３が固定されている。これら各カラー１３は断熱材として機能するものであり、セラミックを材料に形成されている。
【０００９】
本体ケース１内には上面が開口する矩形皿状をなす金属製の下断熱板１４が収納されている。この下断熱板１４は断熱部材に相当するものであり、下断熱板１４の底板には四隅部に位置して貫通孔が形成されている。これら各貫通孔内にはケース支え１１のヘッド部１２が挿入されており、下断熱板１４は底板の四隅部がケース支え１１によって高さ方向に支持されている。この下断熱板１４は本体ケース１内を上方の消去室１５および下方の断熱室１６に仕切るものであり、四隅部がヘッド部１２に係合することに基いて水平方向に位置ずれ不能にされている。
【００１０】
本体ケース１内には下断熱板１４の上方に位置して金属製の下断熱ケース１７が収納されており、下断熱ケース１７は複数のカラー１３によって支持されている。この下断熱ケース１７は断熱ケース部材に相当するものであり、上面が開口する矩形箱状をなしている。この下断熱ケース１７は下断熱ケース１７からカラー１３を通してケース支え１１のヘッド部１２内にねじ１９を締込むことに基いて固定されたものであり、各ねじ１９の頭部と下断熱ケース１７との間には円筒状のカラー２０が介在されている。
【００１１】
各ケース支え１１には第２の支持部材に相当するヒータ支え２１が一体成形されており、各ヒータ支え２１には円筒状の下スプリングガイド２２が一体成形されている。これら各下スプリングガイド２２の外周面には圧縮コイルスプリングからなるヒータスプリング２３が嵌合されており、各ヒータスプリング２３の上端部は下断熱板１４を貫通して下断熱ケース１７内に突出している。
【００１２】
下断熱ケース１７内には下加熱板４が収納されている。この下加熱板４は矩形状の金属板からなるものであり、下加熱板４の四隅部には円筒状をなすセラミック製の上スプリングガイド２４が固定されている。これら各上スプリングガイド２４は下加熱板４を通して上スプリングガイド２４にねじを締込むことに基いて固定されたものであり、複数の上スプリングガイド２４の上端面と下加熱板４の下面との間には下ヒータ２５が介在されている。この下ヒータ２５は発熱体に相当するものであり、複数の上スプリングガイド２４と下加熱板４との間で挟持されることに基いて固定されている。これら各上スプリングガイド２４はヒータスプリング２３内に挿入されている。これら各上スプリングガイド２４は下断熱ケース１７の底板を貫通して下断熱板１４内に突出するものであり、下加熱板４および下ヒータ２５は複数のヒータスプリング２３によって弾性的に支持されている。尚、ヒータスプリング２３はばね部材に相当するものである。
【００１３】
下加熱板４の下面には押え板に相当する下ヒータ押え２６が複数のねじによって装着されており、下ヒータ２５は下ヒータ押え２６の押え力で下加熱板４の下面に密着している。これら下加熱板４と下ヒータ２５と下ヒータ押え２６は第１の加熱源に相当する下加熱源２７を構成するものであり、下加熱板４は下ヒータ２５が発熱することに基いて昇温し、用紙トレイ２内の印刷物を下方から加熱する。
【００１４】
下断熱ケース１７の底板には複数のスペーサ２８が装着されている。これら各スペーサ２８はセラミックを円筒状に形成してなるものであり、下断熱ケース１７の底板を通してスペーサ２８内にねじ４７ａを締込むことに基いて固定されている。これら複数のスペーサ２８の上端面にはトレイガイド２ａがねじ４７ｂによって固定されている。
トレイガイド２ａの内周面には受皿に相当する用紙トレイ２が挿入されている。この用紙トレイ２は下加熱板４上に載置されたものであり、用紙トレイ２は下断熱ケース１７内に収納されている。この用紙トレイ２は上面が開口する矩形皿状をなすものであり、用紙トレイ２の上面は印刷物を投入する投入口に相当する。この用紙トレイ２はＡ４サイズの印刷物が左右２列に投入されるものであり、用紙トレイ２の底面の全域にはシボ加工が施されている。このシボ加工は用紙トレイ２の底面の表面粗さを残りの部分に比べて粗くするものであり、印刷物が印刷トナーの糊分の影響で底面に張り付くことを防止する張付き防止部として機能する。
【００１５】
本体ケース１の後端部には蓋部に相当する蓋ケース３が装着されている。この蓋ケース３は、図４に示すように、金属製の上本体枠３２と金属製の上前枠３３と金属製の上後枠３４とを接合することから構成されたものであり、下面が開口する矩形箱状をなしている。この蓋ケース３の上本体枠３２は前面と後面と下面が開口するコ字枠状をなすものであり、上本体枠３２の前面および後面は上前枠３３および上後枠３４によって覆われ、上本体枠３２の左側板および右側板には複数の放熱孔３５が形成されている。この上本体枠３２内の天井面には、図６に示すように、金属製の左補強板３６と金属製の中央補強板３７と金属製の右補強板３８が接合されており、左補強板３６および右補強板３８には、図４に示すように、前後端部に位置して下方へ突出する台座３９が形成されている。
【００１６】
蓋ケース３の上後枠３４には、図５に示すように、左右方向中央部に位置してフラットヒンジ４０の可動側がねじ止めされており、フラットヒンジ４０の静止側は本体ケース１の下後枠８にねじ止めされている。この下後枠８にはフラットヒンジ４０の左右両側部に位置して２個のダンパーヒンジ４１の静止側がねじ止めされており、各ダンパーヒンジ４１の可動側は上後枠３４にねじ止めされている。即ち、蓋ケース３はフラットヒンジ４０およびダンパーヒンジ４１を介して本体ケース１に回動可能に装着されたものであり、用紙トレイ２の上面は蓋ケース３を回動操作することに基いて開閉される。尚、符号４２は蓋ケース２の回動軸を示すものである。
【００１７】
蓋ケース３の上本体枠３２内には、図４に示すように、下面が開口する矩形皿状の上断熱板４３が収納されている。この上断熱板４３は熱が上本体枠３２の天井面に伝わることを抑える金属板からなるものであり、上本体枠３２内には上断熱板４３の下方に位置して上断熱ケース４４が収納されている。この上断熱ケース４４は金属を材料に形成されたものであり、下面が開口する矩形箱状をなしている。これら上断熱板４３および上断熱ケース４４は上断熱ケース４４から上断熱板４３を通して複数の台座３９にねじ４５を締込むことに基いて固定されたものであり、蓋ケース３の閉鎖状態では下断熱ケース１７と上断熱ケース４４との間に空間状の加熱室が形成される。
【００１８】
各ねじ４５の外周面には、図４に示すように、径大な円筒状のカラー４６および径小な円筒状のカラー４７が挿入されている。径大な各カラー４６はねじ４５の頭部と上断熱ケース４４の底板との間に介在されたものであり、金属を材料に形成されている。径小な各カラー４７は上断熱ケース４４の底板と上断熱板４３の底板との間に介在されたものであり、セラミックを材料に形成されている。即ち、上断熱ケース４４はカラー４７によって支持されたものであり、各カラー４７は熱が上断熱ケース４４から上断熱板４３を通して上本体枠３２に伝わることを抑える断熱材として機能する。
【００１９】
上断熱ケース４４の底板には四隅部に位置して円筒状をなすセラミック製のスペーサ４８が装着されている。これら各スペーサ４８は上断熱ケース４４の底板を通してスペーサ４８内にねじを締込むことに基いて固定されたものであり、複数のスペーサ４８の下端面には金属製の上加熱板５が装着されている。この上加熱板５は上加熱板５を通してスペーサ４８内にねじを締込むことに基いて固定されたものであり、上断熱ケース４４内に収納されている。
【００２０】
上加熱板５の上面と複数のスペーサ４８の下端面との間には発熱体に相当する上ヒータ４９が介在されている。この上ヒータ４９は複数のスペーサ４８と上加熱板５との間で挟持されることに基いて固定されたものであり、蓋ケース３の閉鎖状態で用紙トレイ２内に配置される。
上加熱板５の上面には、図４に示すように、押え板に相当する上ヒータ押え５０が複数のねじによって装着されており、上ヒータ４９は上ヒータ押え５０の押え力で上加熱板５の上面に密着している。これら上加熱板５と上ヒータ４９と上ヒータ押え５０は第２の加熱源に相当する上加熱源５１を構成するものであり、上加熱板５は上ヒータ４９が発熱することに基いて昇温し、用紙トレイ２内の印刷物を上方から加熱する。この用紙トレイ２内の印刷物はヒータスプリング２３のばね力で上加熱板５に接触する。
【００２１】
上前枠３３には合成樹脂製の上前カバー５２が装着されている。この上前カバー５２には２本のアーム５３が固定されており、２本のアーム５３にはラッチ５４が軸５５を中心に回動可能に装着されている。このラッチ５４と上前カバー５２との間にはラッチスプリング５６が介在されている。このラッチスプリング５６はラッチ５４を矢印方向へ付勢する圧縮コイルスプリングからなるものであり、蓋ケース３の閉鎖状態ではラッチ５４がラッチスプリング５６のばね力でラッチ部５７に係合する。このラッチ部５７は、図１に示すように、本体ケース１に固定されたものであり、蓋ケース３はラッチ５４およびラッチ部５７間の係合力で閉鎖状態に保持される。
【００２２】
下断熱ケース１７の底板には、図２に示すように、ダクト５８が下方からねじ止めされており、ダクト５８には円筒状のファンケーシング５９が下方からねじ止めされている。このファンケーシング５９にはファンモータ６０（図１１参照）が固定されており、ファンモータ６０の回転軸には、図２に示すように、ファンケーシング５９内に位置して軸流形の冷却ファン６１が固定されている。これらファンケーシング５９とファンモータ６０と冷却ファン６１は冷却手段に相当するファン装置６２を構成するものであり、本体ケース１の下本体枠６の底板にはファン装置６２の下方に位置して開口部が形成されている。この開口部は外部からファン装置６２の保守・点検・交換を行うメンテナンス口に相当するものであり、開口部はファンカバー６３によって覆われている。
【００２３】
ファンカバー６３はファンカバー６３を通して下本体枠６の底板に複数のねじ６４を締込むことに基いて固定されたものであり、複数のねじ６４を取外すことに基いて下本体枠６から取外され、複数のねじ６４を締込むことに基いて下本体枠６に取付けられる。即ち、ファンカバー６３はメンテナンス口を着脱可能に塞ぐ下本体枠６の一部に相当するものであり、ファンカバー６３とファン装置６２との間には隙間６５が形成されている。このファンカバー６３には複数の貫通孔からなる吸気口６６が形成されており、冷却ファン６１はファンモータ６０が駆動することに基いて外気を吸気口６６から本体ケース１内に吸引し、ダクト５８を通して加熱室内に送風することに基いて印刷物を冷却する。
【００２４】
本体ケース１の下前枠７にはロックカバーに相当する合成樹脂製の下前カバー６７が装着されており、下前カバー６７と下前枠７との間には空間状の電装室６８が形成されている。この下前カバー６７は複数の爪部６９を有するものであり、複数の爪部６９を下前枠７の複数の係合孔内に係合し且つ下前カバー６７から下前枠７に複数のねじ７０を締込むことに基いて装着されている。即ち、下前カバー６７は複数のねじ７０を取外し、複数の爪部６９を係合孔から取外すことに基いて下前枠７から取外されるものであり、下前枠７に対して着脱可能にされている。
【００２５】
電装室６８内には、図９に示すように、機構板７１が収納されている。この機構板７１は本体ケース１の下前枠７に固定されたものであり、機構板７１には略Ｌ字状のスイッチレバー７２が軸７３を中心に回動可能に装着されている。このスイッチレバー７２は突状の操作部７４を有するものであり、スイッチレバー７２と機構板７１との間にはレバースプリング７５が装着されている。このレバースプリング７５は引張コイルスプリングからなるものであり、スイッチレバー７２はレバースプリング７５のばね力で図９の矢印方向へ付勢されている。
【００２６】
蓋ケース３にはロックリング７６が固定されている。このロックリング７６は蓋ケース３の閉鎖状態で本体ケース１の電装室６８内に侵入するものであり、ロックリング７６が電装室６８内に侵入した状態ではスイッチレバー７２がロックリング７６によって傾斜状態に押圧操作される。即ち、ロックリング７６はスイッチレバー７２を操作するレバー操作手段に相当するものであり、スイッチレバー７２は蓋ケース３の開放状態および閉鎖状態で水平状態および傾斜状態になる。
【００２７】
機構板７１にはマイクロスイッチからなる蓋スイッチ７７が固定されており、蓋ケース３の閉鎖状態ではスイッチレバー７２の操作部７４が蓋スイッチ７７のプランジャから離間することに基いて蓋スイッチ７７がオフされ、蓋ケース３の開放状態ではスイッチレバー７２の操作部７４が蓋スイッチ７７のプランジャを上方へ押圧することに基いて蓋スイッチ７７がオンされる。即ち、蓋スイッチ７７は蓋ケース３の開閉に機械的に連動して電気的な状態が変化するものであり、蓋ケース３の開閉を検出する開閉検出手段に相当するものである。
【００２８】
機構板７１には、図９に示すように、ロック機構８０が装着されており、ロック機構８０は下前カバー６７によって覆われている。このロック機構８０は蓋ケース３を閉鎖状態にロックするものであり、次のように構成されている。機構板７１にはロックケース８１が固定されており、ロックケース８１内には、図１０に示すように、駆動源に相当するロックモータ８２が収納されている。このロックモータ８２は減速ギア機構を内蔵するギアドモータからなるものであり、ロックモータ８２の回転軸８３には円形状の回転板８４が固定されている。この回転板８４の外周部にはピン状のカム８５が固定されており、カム８５はロックモータ８２が駆動することに基いて回転軸８３を中心に円周方向へ移動する。
【００２９】
ロックケース８１には円筒状の軸受８６が形成されており、軸受８６の先端部には円環状のストッパ８７が形成されている。この軸受８６の内周面にはプランジャ８８がスライド可能に嵌合されており、プランジャ８８の先端部には円柱状のロックピン８９および円柱状のばね受け９０が固定されている。このばね受け９０の外周面には圧縮コイルスプリングからなるロックスプリング９１の一端部が嵌合されており、ロックスプリング９１の他端部は円筒状のばね受け９２の内周面に嵌合されている。このばね受け９２はロックケース８１内に固定されたものであり、プランジャ８８はロックスプリング９１のばね力で右方へ付勢されている。
【００３０】
プランジャ８８には従動板９３が固定されている。この従動板９３は正方形状の貫通孔９４を有するものであり、貫通孔９４内にはカム８５が挿入されている。この貫通孔９４の左内面９５はカム面として機能するものであり、図１０の（ａ）に示すように、カム８５がカム面９５から離間した状態ではプランジャ８８の先端面がロックスプリング９１のばね力でロックケース８１のストッパ８７に接触する。この状態ではロックピン８９がロックケース８１内から突出したロック状態に保持され、図９に示すように、蓋ケース３のロックリング７６内に係合している。これらロックピン８９およびロックリング７６間の係合状態では蓋ケース３が閉鎖状態にロックされ、蓋ケース３の開放操作が禁止される。即ち、ロック機構８０は蓋ケース３を蓋ケース３の回動軸４２とは反対側の前端部でロックするものである。
【００３１】
ロックモータ８２の回転軸８３がロックピン８９のロック状態で図１０の（ａ）の矢印方向へ回転したときにはカム８５がカム面９５を押圧し、図１０の（ｂ）に示すように、ロックピン８９をロックスプリング９１のばね力に抗してロックケース８１内に退避させる。この状態ではカム面９５がロックスプリング９１のばね力でカム８５に接触することに基いてロックピン８９が突出不能に拘束され、ロックケース８１内に退避したアンロック状態に保持される。このロックピン８９のアンロック状態ではロックピン８９およびロックリング７６間が係合解除され、蓋ケース３の開放操作が許容される。即ち、ロックモータ８２はロックピン８９のロック状態で通電停止されることに基いてロック機構８０をロック状態に保持し、ロックピン８９のアンロック状態で通電停止されることに基いてロック機構８０をアンロック状態に保持するものである。
【００３２】
ロックケース８１内には板ばね製の固定コンタクト９６および板ばね製の可動コンタクト９７が収納されている。これら固定コンタクト９６および可動コンタクト９７はロックスイッチ９８（図１１参照）を構成するものであり、ロックピン８９のロック状態では、図１０の（ａ）に示すように、スイッチ操作部９９が可動コンタクト９７を押圧操作することに基いて固定コンタクト９６に接触させる。このスイッチ操作部９９は従動板９３に形成されたものであり、ロックピン８９のアンロック状態では、図１０の（ｂ）に示すように、スイッチ操作部９９が可動コンタクト９７から離間し、可動コンタクト９７が復元力で固定コンタクト９６から離間する。即ち、ロックスイッチ９８はロックピン８９の進退を検出するものであり、ロックピン８９のロック状態およびアンロック状態でオンおよびオフされる。
【００３３】
ロックケース８１には、図９に示すように、紐１００が装着されている。この紐１００は一端部が従動板９３に連結され、他端部がロックケース８１の外部に突出するものであり、紐１００の他端部は下前カバー６７を本体ケース１から取外すことに基いて操作可能に露出する。この紐１００は操作部材に相当するものであり、ロックピン８９のロック状態で紐１００が引張られたときには従動板９３が移動し、ロックピン８９が図１０の（ａ）のロック状態から図１０（ｂ）のアンロック状態に移動することに基いてロックリング７６内から脱出する。ロック機構８０は以上のように構成されている。
【００３４】
本体ケース１の下本体枠６には、図２に示すように、凹状の基板収納部１０１が形成されている。この基板収納部１０１にはピン状をなす複数の基板サポート１２５が固定されており、複数の基板サポート１２５にはプリント配線基板からなる制御基板１０２が差込まれている。この制御基板１０２は基板収納部１０１の底面から離間するものであり、制御基板１０２の上面には、図１１に示すように、マイクロコンピュータを主体に構成された制御装置１０３が搭載されている。この制御装置１０３には下ヒータ２５・上ヒータ４９・ファンモータ６０・ロックモータ８２が接続されており、制御装置１０３は下ヒータ２５〜ロックモータ８２を駆動制御することに基いて画像の消去運転を実行する。
【００３５】
下前カバー６７の左右方向中央部には、図１に示すように、操作パネル１０４が形成されている。この操作パネル１０４は上方へ向うに従って後方へ傾斜する傾斜面部を称するものであり、操作パネル１０４には、図１１に示すように、電源ＬＥＤ１０５・消去ＬＥＤ１０６・冷却ＬＥＤ１０７・ロックＬＥＤ１０８が固定され、電源ＬＥＤ１０５〜ロックＬＥＤ１０８は制御装置１０３に接続されている。これら電源ＬＥＤ１０５〜ロックＬＥＤ１０８は運転表示器を構成するものであり、制御装置１０３は電源ＬＥＤ１０５〜ロックＬＥＤ１０８を点灯制御することに基いて使用者に運転内容を報知する。
【００３６】
操作パネル１０４には、図１に示すように、入スイッチ１０９と切スイッチ１１０とスタートスイッチ１１１が装着されており、スタートスイッチ１１１は、図１１に示すように、制御装置１０３に接続されている。入スイッチ１０９および切スイッチ１１０は主電源を入切するためのものであり、制御装置１０３は主電源の投入状態でスタートスイッチ１１１が操作されたことを検出することに基いて下ヒータ２５・上ヒータ４９・ファンモータ６０・ロックモータ８２を駆動制御し、画像の消去運転を実行する。
【００３７】
蓋ケース３の上前カバー５２には、図２に示すように、手掛部１１２が形成されている。この手掛部１１２は、図１に示すように、蓋ケース３の閉鎖状態で操作パネル１０４の上方に配置されるものであり、図２に示すように、蓋ケース３の閉鎖状態で操作パネル１０４の上端部に対して前方に突出する。この手掛部１１２の左右方向の幅寸法は操作パネル１０４に比べて大きく設定されており、手掛部１１２の左右両端部は蓋ケース３の閉鎖状態で操作パネル１０４の左右両端部に対して左右方向へ突出する。この手掛部１１２は蓋ケース３を閉鎖状態から開放操作するときに手指を引掛けるものであり、使用者が手掛部１１２に手指を掛けて蓋ケース３を持上げたときにはラッチ５４およびラッチ部５７間が蓋ケース３の操作力で係合解除され、蓋ケース３が開放される。
【００３８】
本体ケース１内には、図２に示すように、後隅部に位置してケーブルケース１１３が収納されており、本体ケース１の下後枠８にはケーブルケース１１３の後方に位置して開口部が形成されている。このケーブルケース１１３内にはケーブルが収納されており、ケーブルの一端部は制御基板１０２を介して制御装置１０３に接続され、ケーブルの他端部は開口部を通して脱臭装置に接続される。この開口部には、図５に示すように、ケーブルカバー１１４が装着されている。このケーブルカバー１１４はケーブルカバー１１４を通して下後枠８にねじ１１５を締込むことに基いて装着されたものであり、ねじ１１５を取外すことに基いて下後枠８から取外され、ねじ１１５を締込むことに基いて下後枠８に装着される。
【００３９】
上ヒータ押え５０には、図７に示すように、センサ装着部１１６が形成されている。このセンサ装着部１１６は上ヒータ押え５０をプレスすることに基いて形成されたものであり、上方に膨らんでいる。このセンサ装着部１１６には上サーミスタ１１７のフランジ状の感温部１１８が装着されており、感温部１１８は上ヒータ４９と上ヒータ押え５０との間で挟持されている。この上サーミスタ１１７は上ヒータ４９の表面温度を検出する第２の温度検出手段に相当するものであり、上ヒータ押え５０には円形状のセンサ挿入孔１１９および直状のセンサ移動孔１２０が形成されている。このセンサ挿入孔１１９は上サーミスタ１１７の感温部１１８が挿入されるものであり、上サーミスタ１１７の感温部１１８はセンサ挿入孔１１９内に挿入された後にセンサ移動孔１２０に沿って移動操作されることに基いてセンサ装着部１１６内に装着される。この上サーミスタ１１７は、図１１に示すように、制御装置１０３に接続されており、制御装置１０３は上サーミスタ１１７からの出力信号に基いて上ヒータ４９の表面温度を検出する。
【００４０】
制御装置１０３には下サーミスタ１２１が接続されている。この下サーミスタ１２１は、上サーミスタ１１７と同様、下ヒータ押え２６のセンサ装着部１１６に装着されたものであり、下サーミスタ１２１の感温部は下ヒータ２５の下面に接触している。この下サーミスタ１２１は下ヒータ２５の表面温度に応じた電気信号を出力する第１の温度検出手段に相当するものであり、制御装置１０３は下サーミスタ１２１からの出力信号に基いて下ヒータ２５の表面温度を検出する。
【００４１】
上ヒータ押え５０には、図８に示すように、十字状のスイッチ挿入孔１２２が形成されている。このスイッチ挿入孔１２２は上サーマルスイッチ１２３の感温部１２４が挿入されるものであり、上サーマルスイッチ１２３の感温部１２４はスイッチ挿入孔１２２内に挿入された後に回動操作されることに基いて上ヒータ４９と上ヒータ押え５０との間で挟持される。この上サーマルスイッチ１２３は第２の温度検出手段に相当するものであり、上ヒータ４９の表面温度が異常値に到達することに基いて動作する。この上サーマルスイッチ１２３は主電源の給電路に介在されたものであり、上サーマルスイッチ１２３の動作時には主電源の給電路が開放される。
【００４２】
下ヒータ押え２６には下サーマルスイッチが装着されている。この下サーマルスイッチは、上サーマルスイッチ１２３と同様、感温部が下ヒータ２５と下ヒータ押え２６との間で挟持されることに基いて固定されたものであり、下ヒータ２５の表面温度が異常値に到達することに基いて動作する。この下サーマルスイッチは主電源の給電路に介在されたものであり、下サーマルスイッチの動作時には主電源の給電路が開放される。
【００４３】
次に上記構成の作用について説明する。
制御装置１０３は主電源が投入されると、電源ＬＥＤ１０５を点灯することに基いて主電源の投入を使用者に報知する。この状態でスタートスイッチ１１１が操作されたことを検出したときには消去ＬＥＤ１０６および冷却ＬＥＤ１０７を点灯し、蓋スイッチ７７からの出力信号に基いて蓋ケース３の開閉を判断する。ここで蓋ケース３が閉鎖されていることを検出したときにはロックモータ８２を駆動することに基いてロックピン８９をロック状態に突出させ、蓋ケース３を閉鎖状態にロックする。そして、ロックＬＥＤ１０８を点滅させ、蓋ケース３が閉鎖状態にロックされたことを使用者に報知する。
【００４４】
制御装置１０３はロックＬＥＤ１０８を点滅させると、下ヒータ２５と上ヒータ４９を駆動することに基いて下加熱板４および上加熱板５を昇温させ、消去ＬＥＤ１０６を点滅させる。そして、下サーミスタ１２１からの出力信号および上サーミスタ１１７からの出力信号に基いて下加熱板４および上加熱板５が同一の消去温度に到達したことを検出したときには両者を消去温度に維持する。
【００４５】
制御装置１０３は下加熱板４および上加熱板５が消去温度に到達してから設定時間が経過したことを検出すると、下ヒータ２５と上ヒータ４９をオフし、消去ＬＥＤ１０６を消灯する。そして、ファンモータ６０をオンすることに基いて印刷物の冷却を開始し、冷却ＬＥＤ１０７を点滅させることに基いて使用者に冷却中であることを報知する。この状態で下加熱板４の表面温度および上加熱板５の表面温度が冷却温度に降下したことを検出したときにはファンモータ６０をオフし、冷却ＬＥＤ１０７を消灯する。次に、ロックモータ８２を駆動することに基いてロックピン８９をアンロック状態に退避させ、ロックＬＥＤ１０８を消灯することに基いて蓋ケース３のロック解除を使用者に報知する。
【００４６】
上記第１実施例によれば次の効果を奏する。
本体ケース１内および蓋ケース３内に下加熱源２７および上加熱源５１を収納した。このため、本体ケース１の用紙トレイ２内に印刷物を投入して蓋ケース３を閉鎖することに基いて印刷物が下加熱源２７および上加熱源５１間に介在され、印刷物が下側および上側から加熱されることに基いて印刷物に形成された画像が消去される。従って、溶媒の取扱いに配慮する必要がなくなるので、室内スペースで安全に運転を行うことができる。
【００４７】
本体ケース１の前端部にロック機構８０を配置し、蓋ケース３を回動軸４２とは反対側の前端部で閉鎖状態にロックしたので、蓋ケース３を確実にロックすることができる。しかも、印刷物の加熱中に蓋ケース３を開放操作することができなくなるので、安全性が高まる。
蓋スイッチ７７およびロック機構８０を覆う着脱可能な下前カバー６７を設けた。このため、下前カバー６７を取外すことに基いて蓋スイッチ７７およびロック機構８０を露出させ、蓋スイッチ７７およびロック機構８０の保守・点検・修理を行うことができる。
【００４８】
ロック機構８０をロック状態からアンロック状態に手動操作で切換える紐１００を設けた。このため、印刷物の加熱中に停電が発生した場合および印刷物の加熱中にロック機構８０が故障した場合に下前カバー６７を取外すことに基いて紐１００を露出させ、紐１００を操作することに基いてロック機構８０をロック状態からアンロック状態に切換えることができるので、蓋ケース３を開放することができる。
【００４９】
ロックモータ８２を断電時に現在位置で停止させことに基いてロック機構８０を現在状態に保持した。このため、印刷物の加熱中に主電源が遮断されたときにはロック機構８０がロック状態に保持されるので、蓋ケース３が印刷物の昇温状態で不用意に開放されることがなくなる。しかも、運転終了後に主電源が遮断されたときにはロック機構８０がアンロック状態に保持されるので、特別な操作を行うことなく蓋ケース３を開放することができる。
【００５０】
本体ケース１に傾斜状の操作パネル１０４を設けたので、例えば本体ケース１を机上に設置して使用するときに入スイッチ１０９〜スタートスイッチ１１１を操作し易くなる。しかも、蓋ケース３の閉鎖状態で操作パネル１０４の上端部から突出する手掛部１１２を蓋ケース３に設けた。このため、液体飲料を零したときに手掛部１１２が傘となり、操作パネル１０４にかかることが防止されるので、操作パネル１０４が汚れることが防止される。
【００５１】
ファン装置６２の下方にファンカバー６３を着脱可能に設けた。このため、ファンカバー６３を取外すことに基いてメンテナンス口を開放し、メンテナンス口を通してファン装置６２を保守・点検・交換することができるので、ファン装置６２のメンテナンス性が高まる。しかも、ファンカバー６３に吸気口６６を設けたので、ファン装置６２の駆動時に外気を吸気口６６を通して本体ケース１内に支障なく吸引することができる。
【００５２】
下断熱板１４を支持するカラー１３を断熱材から形成したので、下加熱源２７からの熱および上加熱源５１からの熱が下断熱板１４を通してケース支え１１およびヒータ支え２１に伝わり難くなる。
上断熱ケース４４を支持するカラー４７を断熱材から形成したので、下加熱源２７からの熱および上加熱源５１からの熱が上断熱ケース４７を通して蓋ケース３に伝わり難くなる。
【００５３】
ファン装置６２とファンカバー６３との間に隙間６５を設けたので、ファン装置６２の駆動時に本体ケース１内の空気が隙間６５を通してファンケーシング５９内に吸引されるようになる。このため、制御基板１０２を冷却する冷却風が生成されるので、制御基板１０２に搭載された電子部品の冷却性能が高まる。しかも、制御基板１０２と基板収納部１０１との間に隙間を形成した。このため、制御基板１０２の上下両面に沿って冷却風が流れるようになるので、電子部品の冷却性能が一層向上する。
【００５４】
ケース支え１１とヒータ支え２１とを一体成形したので、ケース支え１１とヒータ支え２１との位置関係が安定する。このため、ケース支え１１に支持された下断熱ケース１７とヒータ支え２１に支持された下加熱源２７との間の位置関係が安定する。
上サーミスタ１１７の感温部１１８を上ヒータ押え５０と上ヒータ４９との間で挟持したので、上サーミスタ１１７を固定する専用のねじおよび専用の取付板が不要になる。このため、ねじが上加熱板５を貫通して下方へ突出することがなくなるので、用紙トレイ２内に多量の印刷物を投入することが可能になる。この効果は上サーモスイッチ１２３についても同様である。
【００５５】
下サーミスタ１２１の感温部を下ヒータ押え２６と下ヒータ２５との間で挟持した。このため、下サーミスタ１２１を固定する専用のねじおよび専用の取付板が不要になるので、ねじが下加熱板４を貫通して上方へ突出することがなくなる。この効果は下サーモスイッチについても同様である。
下ヒータ２５を下加熱板４と複数の上スプリングガイド２４との間で挟持した。このため、下加熱板４に複数の上スプリングガイド２４をねじ止めすることに基いて下ヒータ２５を同時に装着することができるので、下ヒータ２５を下加熱板４に装着する専用作業が不要になる。
【００５６】
上ヒータ４９を上加熱板５と複数のスペーサ４８との間で挟持した。このため、上加熱板５に複数のスペーサ４８をねじ止めすることに基いて上ヒータ４９を同時に装着することができるので、上ヒータ４９を上加熱板５に装着する専用作業が不要になる。
用紙トレイ２の底面にシボ加工を施し、用紙トレイ２の底面を粗した。このため、印刷物の用紙トレイ２の底面に対する密着度が低下するので、印刷物が糊分で用紙トレイ２の底面に張り付くことが防止される。
＜実施例２＞
用紙トレイ２内には、図１２に示すように、前後方向へ延びる仕切板２９が固定されている。この仕切板２９は用紙トレイ２の内部空間を媒体収納部に相当する左用紙収納室３０および右用紙収納室３１に２分割するものであり、左用紙収納室３０内および右用紙収納室３１内にはＡ４サイズの印刷物が投入される。
【００５７】
蓋ケース３内には、図１２に示すように、加熱部に相当する上左加熱源１３１および上右加熱源１３２が収納されている。これら上左加熱源１３１および上右加熱源１３２は金属製の加熱板と金属製のヒータ押えとの間でヒータを挟持してなるものであり、蓋ケース３の閉鎖状態では上左加熱源１３１および上右加熱源１３２間の隙間に用紙トレイ２の仕切板２９が挿入され、左用紙収納室３０内の印刷物および右用紙収納室３１内の印刷物がヒータスプリング２３のばね力で上左加熱源１３１および上右加熱源１３２に接触する。これら上左加熱源１３１および上右加熱源１３２は第２の加熱源に相当する上加熱源１３３を構成するものであり、左用紙収納室３０内の印刷物および右用紙収納室３１内の印刷物を加熱する。
【００５８】
上記第２実施例によれば、用紙トレイ２内を仕切板２９によって左用紙収納室３０および右用紙収納室３１に区画したので、用紙トレイ２内で左列の印刷物と右列の印刷物とが混ざり合うことが防止される。
上加熱源１３３を上左加熱源１３１および上右加熱源１３２に分割し、蓋ケース３の閉鎖状態で上左加熱源１３１および上右加熱源１３２間の隙間に用紙トレイ２の仕切板２９を挿入した。このため、左用紙収納室３０内の印刷物および右用紙収納室３１内の印刷物をヒータスプリング２３のばね力で上左加熱源１３１および上右加熱源１３２に接触させることができるので、左用紙収納室３０内の印刷物および右用紙収納室３１内の印刷物を仕切部材２９によって邪魔されることなく効率的に加熱することができる。しかも、上左加熱源１３１だけを発熱させることに基いて左用紙収納室３０内の印刷物だけを加熱したり、上右加熱源１３２だけを発熱させることに基いて右用紙収納室３１内の印刷物だけを加熱することができるので、利便性が高まる。
【００５９】
上記第２実施例においては、上加熱源１３３を２分割したが、これに限定されるものではなく、例えば３個以上に分割しても良い。この場合、用紙トレイ２内を上加熱源１３３の分割数と同一個数の領域に分割することが好ましい。
上記第１〜第２実施例においては、蓋ケース３を本体ケース１の後端部に回動可能に装着したが、これに限定されるものではなく、例えば本体ケース１の右側部または左側部に回動可能に装着しても良い。この場合、ロック機構８０を本体ケース１の左側部または右側部に配置し、蓋ケース３を回動軸とは反対側でロックすることが好ましい。
【００６０】
上記第１〜第２実施例においては、ロック機構８０をロック状態からアンロック状態に手動操作する操作部材として紐１００を例示したが、これに限定されるものではなく、例えばレバーを用いても良い。
上記第１〜第２実施例においては、紐１００を下前カバー６７の除去状態で操作可能に設けたが、これに限定されるものではなく、例えば下前カバー６７の装着状態で操作可能に設けても良い。この場合、紐１００を下前カバー６７から突出させると良い。
【図面の簡単な説明】
【００６１】
【図１】本発明の第１実施例を示す図（画像消去装置の外観を示す斜視図）
【図２】画像消去装置の内部構成を概略的に示す側面図
【図３】画像消去装置の内部構成を詳細に示す側面図
【図４】蓋ケースの内部構成を示す側面図
【図５】画像消去装置の外観を示す後面図
【図６】蓋ケースの外観を示す下面図
【図７】上サーミスタの装着状態を示す図（ａは上面図、ｂはＸ線に沿う断面図）
【図８】上サーモスイッチの装着状態を示す上面図（ａは上面図、ｂはＸ線に沿う断面図）
【図９】画像消去装置の内部構成を示す前面図
【図１０】ロック機構の内部構成を示す前面図（ａはロック状態を示す図、ｂはアンロック状態を示す図）
【図１１】電気的構成を示すブロック図
【図１２】本発明の第２実施例を示す図７相当図
【符号の説明】
【００６２】
１は本体ケース（本体部）、２は用紙トレイ（受皿）、３は蓋ケース（蓋部）、４は下加熱板(加熱板)、５は上加熱板（加熱板）、１１はケース支え（第１の支持部材）、１４は下断熱板（断熱部材）、１７は下断熱ケース（断熱ケース部材）、２１はヒータ支え（第２の支持部材）、２３はヒータスプリング（コイルスプリング，ばね部材）、２４は上スプリングガイド（スプリングガイド）、２５は下ヒータ（発熱体）、２６は下ヒータ押え（押え板）、２７は下加熱源（第１の加熱源）、２９は仕切板（仕切部材）、３０は左用紙収納室（媒体収納部）、３１は右用紙収納室（媒体収納部）、４９は上ヒータ（発熱体）、５０は上ヒータ押え（押え板）、５１は上加熱源（第２の加熱源）、６２はファン装置、６３はファンカバー、６５は隙間、６６は吸気口、６７は下前カバー（ロックカバー）、８０はロック機構、８２はロックモータ（駆動源）、１００は紐（操作部材）、１０４は操作パネル、１１２は手掛部、１１７は上サーミスタ（第２の温度検出手段）、１１８は感温部、１２１は下サーミスタ（第１の温度検出手段）、１２３は上サーモスイッチ（第２の温度検出手段）、１２４は感温部、１３１は上左加熱源（加熱部）、１３２は上右加熱源（加熱部）、１３３は上加熱源（第２の加熱源）を示している。
【図１】
2006035566.tif 000003
【図２】
2006035566.tif 000004
【図３】
2006035566.tif 000005
【図４】
2006035566.tif 000006
【図５】
2006035566.tif 000007
【図６】
2006035566.tif 000008
【図７】
2006035566.tif 000009
【図８】
2006035566.tif 000010
【図９】
2006035566.tif 000011
【図１０】
2006035566.tif 000012
【図１１】
2006035566.tif 000013
【図１２】
2006035566.tif 000014